(57)【要約】【課題】バストの谷間を平らに覆って胸幅を狭めることが可能な和装用胸部補正衣の提供。【解決手段】和装用胸部補正衣２０は、貫頭穴Ｈのある身頃１のうち後ろ身頃１ｂから巾出しの後ろ付き左側巻き布２Ｌ及び後ろ付き右側巻き布２Ｒ、これら巻き布２Ｌ，２Ｒを脇腹に巻き付けて留める後見頃左結び紐４Ｌ及び後見頃右結び紐４Ｒ、前身頃１ａから巾出しの前付き左側巻き布６Ｌ及び前付き右側巻き布６Ｒ、前付き左側巻き布６Ｌから巾出しの右側胸当て布１１Ｌ及び前付き右巻き布６Ｒから巾出しの左側胸当て布１１Ｒ、そして、左側巻き布６Ｌ及び右側胸当て布１１Ｌを身体左側から胸周りに巻き付けると共に右側巻き布６Ｒ及び左側胸当て布１１Ｒを身体右側から胸周りに巻き付けて留めるための前見頃上部左結び紐１３Ｌ及び前見頃上部右結び紐１３Ｒを有する。【選択図】      図１
2015040351.tif 000002
【特許請求の範囲】
【請求項１】
貫頭穴のある身頃のうち後ろ身頃を身体後ろ側に定着するための定着手段と、前記身頃のうち前身頃から左方に巾出しされており、前記身体左側から前記身体後ろ側を経て前記身体右側へ胸周りに巻き回すための前付き左側巻き布と、前記前身頃から右方に巾出しされており、前記身体右側から前記身体後ろ側を経て前記身体左側へ胸周りに巻き回すための前付き右側巻き布と、前記前付き左側巻き布から左方に巾出しされており、胸部右側を左方へ歪ませるための右側胸当て布と、前記前付き右巻き布から右方に巾出しされており、胸部左側を右方へ歪ませるための左側胸当て布と、前記右側胸当て布と前記左側胸当て布とを胸中央で相互連結するための当て布留め手段を有することを特徴とする和装用胸部補正衣。
【請求項２】
請求項１に記載の和装用胸部補正衣において、前記当て布留め手段は、前記左側胸当て布と前記右側胸当て布とを胸上部側で相互連結するための当て布上部留め手段と、前記左側胸当て布と前記右側胸当て布とを胸部下部側で相互連結するための当て布下部留め手段を有することを特徴とする和装用胸部補正衣。
【請求項３】
請求項１又は請求項２に記載の和装用胸部補正衣において、前記定着手段は、前記後ろ身頃から左方に巾出しされており、前記身体左側から身体前側へ巻き回すための後ろ付き左側巻き布と、前記後ろ見頃から右方に巾出しされており、前記身体右側から前記身体前側に巻き回すための後ろ付き右側巻き布と、前記後ろ付き左側巻き布と前記後ろ付き右側巻き布とを相互連結するための後ろ付き巻き布留め手段を有することを特徴とする和装用胸部補正衣。
【請求項４】
請求項１乃至請求項３のいずれか一項に記載の和装用胸部補正衣において、前記前付き左側巻き布及び前記前付き右側巻き布のうちいずれか一方に形成されており、いずれか他方を前記身体後ろ側で交差して通すための空部を有することを特徴とする和装用胸部補正衣。
【請求項５】
請求項１乃至請求項４のいずれか一項に記載の和装用胸部補正衣において、前記前付き左側巻き布と前記前付き右側巻き布とは前記前見頃に縫着した帯状布の両端側に相当するものであることを特徴とする和装用胸部補正衣。
【発明の詳細な説明】
【技術分野】
【０００１】
本発明は、和装用下着に関し、特に婦人が着物を着用する際、胸部を所謂「はと胸」に補正できる和装用胸部補正衣に関する。
【背景技術】
【０００２】
この種の和装用胸部補正衣としては、特許文献１の和装用下着や特許文献２の和装用ブラジャーが知られている。
【０００３】
前者の和装用下着は、肌襦袢の後見頃の内面側の胸部対応位置に胸部に巻回して使用する帯状の胸押さえ部材を取り付け、胸押さえ部材の一端部に面ファスナーの一方の面を取り付け、胸押さえ部材の他端部に面ファスナーの他方の面を取り付けて成る。胸押さえ部材の一端部側と他端部側とを胸部の上に重ね合わせて面ファスナーで留めることで、胸部体型を整形できる。
【０００４】
後者の和装用ブラジャーは、後見頃に下側の左前見頃及び上側の左前見頃と下側の右前見頃及び上側の右前見頃とをそれぞれ縫い合わせ、上側の左前見頃と上側の右前見頃に面ファスナーを縫い付けて成る。胸部上に下側の右前見頃、次いで下側の左前見頃、更に上側の右前見頃、最後に上側の左前見頃を交互に重ね合わせて胸部を整えながら、上側の左前見頃と上側の右前見頃を面ファスナーで留めることで、胸部体型を整形できる。
【先行技術文献】
【特許文献】
【０００５】
【特許文献１】特開２０００−１１０００１（図１、図２）
【特許文献２】特開２００１−２１４３０２（図１〜図３）
【発明の概要】
【発明が解決しようとする課題】
【０００６】
前者の胸押さえ部材の一端部と他端部も、また後者の左前見頃と右前見頃も、身体側部から胸周りに巻いて面ファスナーで繋ぎ留めるものであるため、バストの谷間が平坦に覆われる。特にふくよかな体型の方では、装着時において脇の下からバスト側部に至る肉付きを胸中央側へ寄せ変形した上で、胸幅を狭めた形で面ファスナーを留めることができる。しかしながら、一旦、寄せ変形した肉付き部分は弾性復元力が生じているため、その後の胸部の捩れ，曲げ，振動などの弾みでバストに揺れが生じると、胸押さえ部材の一端部（他端部）や左前見頃（右前見頃）が洋装下着用ブラジャーのカップとは異なり面状柔軟材の布に過ぎないことから、寄せ変形した肉付き部分がやがて滑り抜けて寄せ変形が解消するに伴い、バストが上から押え付けられて圧迫変形だけが残ることになる。即ち、バスト側部の寄せ変形を強くしても、結果としてそのバストに対する圧迫変形が強まることになるだけで、却って胸幅が拡がり、着物の脇に余分なシワが生じ易く、また着崩れの原因でもあった。
【０００７】
ところで、「はと胸」として補正する和装用胸部補正衣に必要な機能としては、先ず第１にバストの谷間を平らに覆うのが基本であり、第２に特にふくよかな方などにあっては脇の下からバスト側部の肉付きを胸中央へ寄せ変形させて胸幅を狭めることであり、そして第３に特に高齢者などにあっては下垂したバストを帯より上部位置に引き上げ保持することである。
【０００８】
そこで、本発明の第１の課題は、バストの谷間を平らに覆うことを基本とし、胸幅を狭めることができ、特にふくよかな体型の方にとって好適な和装用胸部補正衣を提供することにある。本発明の第２の課題は、下垂したバストを引き上げ保持することができ、特に高齢の方にとって好適な和装用胸部補正衣を提供することにある。
【課題を解決するための手段】
【０００９】
第１の課題を解決するため、本発明に係る和装用胸部補正衣は、貫頭穴のある身頃のうち後ろ身頃を身体後ろ側に定着するための定着手段と、身頃のうち前身頃から左方に巾出しされており、身体左側から身体後ろ側を経て身体右側へ胸周りに巻き回すための前付き左側巻き布と、前身頃から右方に巾出しされており、身体右側から身体後ろ側を経て身体左側へ胸周りに巻き回すための前付き右側巻き布と、前付き左側巻き布から左方に巾出しされており、胸部右側を左方へ歪ませるための右側胸当て布と、前付き右巻き布から右方に巾出しされており、胸部左側を右方へ歪ませるための左側胸当て布と、右側胸当て布と左側胸当て布とを胸中央で相互連結するための当て布留め手段を有することを特徴とする。
【００１０】
貫頭穴に首を通し、定着手段で後ろ身頃を身体後ろ側に定着した立ち姿において、前付き左側巻き布を左手で身体左側から身体後ろ側へ胸周りに巻き回すと共に前付き右側巻き布を右手で身体右側から身体後ろ側へ胸周りに巻き回した後、前付き左側巻き布と前付き右側巻き布を持ち替え、前付き左側巻き布を右手で身体右側へ胸周りに巻き回すと共に前付き右側巻き布を左手で身体左側へ胸周りに巻き回し、しかる後、左脇の下から左側胸当て布を左手で斜め上左方に引き上げると共に右脇の下から右側胸当て布を右手で斜め上右方に引き上げ、全体的に締め固めた胸部の左側と右側とに対し胸部中央への左右均衡的な歪みを加え、当て布留め手段で左側胸当て布と右側胸当て布を胸部中央で留める。
【００１１】
胸周りは前見頃がある胸中心を基準にして前付き左側巻き布で約２７０度締め付けられると共に前付き右側巻き布で逆回り約２７０度締め付けられるため、胸部全体に対する包み込んだ締め付けが充分となり、また巻き掛け角度が一周以上と大きく、しかも左回りと右回りの２重巻き掛けであるため、十分な摩擦力により巻き布の緩みをほぼ完全に抑えることができ、特にふくよかな体型の方にあっては胸部全体に対する締め付け（圧迫）を持続できる。勿論、胸部は前見頃や巻き布などによってバストの谷間を平らに覆うことができる。胸部全体を所謂サポータ作用のように巻き布で締め固めた状態で、胸当て布を以て胸部を歪ませて狭めるものであるから、胸部の歪み変形量はさほど多くできないものの、却って歪み戻り量を阻止でき、締め固め分と併せると特にふくよかな体型の方にあっては胸幅の狭めを持続できる。
【００１２】
なお、上記の前付き左側巻き布及び前付き右側巻き布を胸周りに巻き回す操作以前に、例えば高齢の方などにあっては下垂したバストを手で上方へ支え上げて前身頃で包み込んでから上記巻き布の巻き回し操作を行うことが望ましい。バストを帯より上部位置に保持できる。
【００１３】
当て布留め手段として、左側胸当て布と右側胸当て布を胸上部側で相互連結するための当て布上部留め手段を用いると、上記の寄せ変形を実現でき、胸幅を狭めることができるものであるが、この外、左側胸当て布と右側胸当て布を胸部下部側で相互連結するための当て布下部留め手段を用いることが望ましい。この当て布下部留め手段の使用により、特に高齢者の方にあっては、前身頃で上部位置に包み込んで巻き布で締め固めたバストを下がり止めできる。なお、この留め手段としては、面ファスナー，ボタン，ホック，ラインファスナーなどでも構わないが、結び紐が好ましい。
【００１４】
一方、後ろ身頃の定着手段としては、後ろ身頃から左方に巾出しされており、身体左側から身体前側へ巻き回すための後ろ付き左側巻き布と、後ろ見頃から右方に巾出しされており、身体右側から身体前側に巻き回すための後ろ付き右側巻き布と、後ろ付き左側巻き布と後ろ付き右側巻き布とを相互連結するための後ろ付き巻き布留め手段を有することが望ましい。なお、この留め手段としては、面ファスナー，ボタン，ホック，ラインファスナーなどでも構わないが、結び紐が好ましい。
【００１５】
そして、上記和装用胸部補正衣は、前付き左側巻き布及び前付き右側巻き布のうちいずれか一方に形成されており、いずれか他方を身体後ろ側で交差して通すための空部を有することが望ましい。この空部とは通し穴，切り込み，スリットなどを指すが、両前付き巻き布を面状に交差さることができ、身体後ろ側で不必要な凹凸を作らずに済むと共に摩擦面積を拡大できる。また、空部で両前付き巻き布を交差させると仮留めできるので、シワなどを均すことができる。
【００１６】
上記の和装用胸部補正衣の製作容易性から、前付き左側巻き布と前付き右側巻き布とは、別々の布ではなく、前見頃に縫着した帯状布の両端側に相当するものであることが望ましい。伝統的な晒し巻きの装着感を発揮できると共に、前見頃の上に帯状布が重なる分、バストの谷間をより平坦に覆うことができ、しかもバストトップの着物への反映（ひびき）を抑制できる。
【００１７】
なお、この帯状布を用いることにより、縫い目を付けるだけで前見頃の胸部中央と帯状布との間にパッド入れポケットを形成できる。このパッド入れポケットに折り畳んだハンカチなどのパッドを入れることで着物がバストの谷間で窪んでしまうのを防ぐことができる。
【発明の効果】
【００１８】
請求項１に係る発明によれば、バストの谷間を平らに覆うことを基本とし、胸幅を狭めることができ、ふくよかな体型の方に好適な和装用胸部補正衣を提供できる。また、請求項２に係る発明によれば、当て布下部留め手段を使用することにより、前身頃で上部に包み込んで巻き布で締め固めたバストを下がり止めでき、高齢者にとっても好適な和装用胸部補正衣を提供できる。
【図面の簡単な説明】
【００１９】
【図１】本発明の一実施例に係る和装用胸部補正衣を示す展開図である。
【図２】同和装用胸部補正衣の貫頭穴に首を通した立ち姿を示す正面図である。
【図３】図２に示す立ち姿において前見頃の裏側で後見頃左結び紐と後見頃右結び紐とをバスト下部で結んだ状態を示す正面図である。
【図４】図３に示す状態から身体後ろ側において縦スリットに前付き右側当て布を入れて前付き左側巻き布と前付き右側巻き布を交差させ後、前付き左側当て布を左手で前付き右側当て布を右手で夫々前方斜め上方へ引き上げた状態を示す背面図である。
【図５】図４示す状態を身体前側から見た正面図である。
【図６】（Ａ）は図５に示す状態から当て布上部右結び紐と当て布上部左結び紐とをバスト上部で結ぶと共に当て布下部右結び紐と当て布下部左結び紐とをバスト下部で結んだ状態を示す正面図、（Ｂ）は（Ａ）の状態を身体後ろ側から見た背面図である。
【発明を実施するための形態】
【００２０】
次に、本発明の一実施例に係る和装用胸部補正衣を添付図面に基づいて説明する。本例の和装用胸部補正衣２０は、図１に示す如く、例えば二枚重ねの長方形状の晒し木綿を以て前見頃１ａと後見頃１ｂとから成る見頃１を有し、前見頃１ａと後見頃１ｂの境界部分である肩当り部Ｓ，Ｓの内側において貫頭穴Ｈが開けられている。この見頃１は後述する諸部材を付帯するために必要な基礎衣である。
【００２１】
この見頃１を身体に定着するためには、特に後見頃１ｂを身体後ろ側に定着するためには、例えば三角形状の晒し木綿を用い、後ろ身頃１ｂから左方に巾出しの後ろ付き左側巻き布２Ｌが後ろ身頃１ｂの下部左辺に縫い目３Ｌを以て縫着されていると共に、後ろ見頃１ｂから右方に巾出しの後ろ付き右側巻き布２Ｒが後ろ身頃１ｂの下部右辺に縫い目３Ｒを以て縫着されている。勿論、縫い目３Ｌや縫い目３Ｒを以て縫着せずに、例えば、後見頃１ｂの下部と後ろ付き左側巻き布２Ｌと後ろ付き右側巻き布２Ｒとの一枚晒し木綿を後見頃１ｂの上半分に縫着したものでも構わない。本例では、後ろ付き左側巻き布２Ｌと後ろ付き右側巻き布２Ｒとは左右対称形状となっており、夫々が後ろ見頃１ｂの裾から巾出し辺にかけて次第に巾狭となる先狭状（三角形状）となっている。
【００２２】
後ろ付き左側巻き布２Ｌの巾出し辺は後見頃左結び紐４Ｌを重ねて縫い目５Ｌを以て縫着されており、この後見頃左結び紐４Ｌは後ろ付き左側巻き布２Ｌから更に左方へ延ばされている。また同様に、後ろ付き右側巻き布２Ｒの巾出し辺は後見頃右結び紐４Ｒを重ねて縫い目５Ｒを以て縫着されており、この後見頃右結び紐４Ｒは後ろ付き右側巻き布２Ｒから更に右方へ延ばされている。これら後見頃左結び紐４Ｌ及び後見頃右結び紐４Ｒは、後ろ付き左側巻き布２Ｌを身体左側から身体前側へ巻き回すと共に後ろ付き右側巻き布２Ｒを身体右側から身体前側に巻き回した状態で後ろ付き左側巻き布２Ｌと後ろ付き右側巻き布２Ｒとを相互連結するための後ろ付き巻き布留め手段となっている。
【００２３】
次に、前見頃１ａにおいては、前身頃１ａから左方に巾出しの前付き左側巻き布６Ｌと、前身頃１ａから右方に巾出しの前付き右側巻き布６Ｒとが付帯している。前付き左側巻き布６Ｌと前付き右側巻き布６Ｒとは前見頃１ａに重ねて左辺近傍の縫い目７Ｌと右辺近傍の縫い目７Ｒを以て縫着した晒し木綿の帯状布６の両端側に相当するものであり、帯状布６のうち前見頃１ａと重なる央部布６Ｓと前見頃１ａとは、貫頭穴Ｈ側の上辺から裾側下辺の途中にかけて平行な縫い目８Ｌ，８Ｒを以て縫着されており、縫い目８Ｌ，８Ｒの内側で前見頃１ａと央部布６Ｓの間にパッド入れポケット９が設けられている。このパッド入れポケット９は貫通袋状で、貫頭穴Ｈ側の上位口と裾側の下位口とを開けることができる。前付き左側巻き布６Ｌはその巾出し長さの約１／３の位置に前付き右側巻き布６Ｒを身体後ろ側において交差させるため、空部としての縦スリット１０を有している。
【００２４】
前付き左側巻き布６Ｌから左方に巾出しの左側胸当て布１１Ｌが左辺の縫い目１２Ｌを以て縫着されており、また前付き右巻き布６Ｒから右方に巾出しの右側胸当て布１１Ｒが右辺の縫い目１２Ｒを以て縫着されている。本例では、左側胸当て布１１Ｌと右側胸当て布１１Ｒとは左右対称形状となっており、夫々が前見頃１ａの裾から巾出し辺にかけて次第に巾狭となる先狭状（三角形状）となっている。本例では、これら左側胸当て布１１Ｌと右側胸当て布１１Ｒとは、別々の晒し木綿を用いて縫着してあるが、帯状布６と合わせた一枚ものでも構わない。
【００２５】
左側胸当て布１１Ｌの巾出し辺は前見頃上部左結び紐１３Ｌを重ねて縫い目１４Ｌを以て縫着されており、前見頃上部左結び紐１３Ｌは左側胸当て布１１Ｌから更に左方へ延ばされている。また同様に、右側胸当て布１１Ｒの巾出し辺は前見頃上部右結び紐１３Ｒを重ねて縫い目１４Ｒを以て縫着されており、前見頃上部右結び紐１３Ｒは右側胸当て布１１Ｒから更に右方へ延ばされている。これら前見頃上部左結び紐１３Ｌ及び前見頃上部右結び紐１３Ｒは、左側胸当て布１１Ｌと右側胸当て布１１Ｒとをバスト上部側で相互連結するための当て布上部留め手段となっている。
【００２６】
そして、左側胸当て布１１Ｌの斜辺中央に前見頃下部左結び紐１５Ｌの一端が取り付けられて左方斜め下方向へ延ばされ、同様に、右側胸当て布１１Ｒの斜辺中央に前見頃下部右結び紐１５Ｒの一端が取り付けられて右方斜め下方向へ延ばされている。これら前見頃下部左結び紐１５Ｌ及び前見頃下部右結び紐１５Ｒは、左側胸当て布１１Ｌと右側胸当て布１１Ｒとをバスト下部側で相互連結するための当て布下部留め手段となっている。
【００２７】
以下、この和装用胸部補正衣２０の着方を順に説明する。先ず、図２に示す如く、和装用胸部補正衣２０の貫頭穴Ｈに首を通す。前見頃１ａは身体前側に垂れ下がり、図２では図示しない後見頃１ｂも身体後ろ側に垂れ下がった状態となる。
【００２８】
次に、後見頃１ｂを身体に定着するために、図３に示す如く、後ろ付き左側巻き布２Ｌを左手で掴んで胴部左側に巻き回すと共に、後ろ付き右側巻き布２Ｒを右手で掴んで胴部左側に巻き回した状態で、後見頃左結び紐４Ｌと後見頃右結び紐４Ｒとを央部布６Ｓの裏側に通し腹部上で結ぶ。ここで、後ろ付き左側巻き布２Ｌ及び後ろ付き右側巻き布２Ｒは先狭状となっているため、脇腹に対しても面的接触となり、後見頃１ｂのズレを抑制できる。
【００２９】
次に、前付き左側巻き布６Ｌを左手で掴んで胸部左側から身体後ろ側へ巻き回すと共に、前付き右側巻き布６Ｒを右手で掴んで胸部右側から身体後ろ側へ巻き回し、図４に示す如く、身体後ろ側において前付き左側巻き布６Ｌに開けられた縦スリット１０に右側当て布１１Ｒを差し込んで前付き左側巻き布６Ｌと前付き右側巻き布６Ｒを交差させた後、シワなどを直し、持ち替えて、図５でも示す如く、左側当て布１１Ｌを左手で右側当て布１１Ｒを右手で夫々前方斜め上方（図示矢印方向）へ強く引き上げた状態とする。斯かる状態では、一枚の帯状布６によって胸周りが左回りと右回りを合せて約１周半だけ巻き締められることになり、その締め加減も左側当て布１１Ｌと右側当て布１１Ｒの引き上げ力で適宜調整できる。
【００３０】
そして、図６に示す如く、前見頃上部左結び紐１３Ｌと前見頃上部右結び紐１３Ｒをバスト上部のバスト間において結んで、それら余り紐１３Ｌ′，１３Ｒ′を胸元から下に通して垂れ下げ処理を施す。必要ならば、パッド入れポケット９内に折り畳んだハンカチなどのパッド１６を挿入し、厚みを増やす。
【００３１】
胸周りは前付き左側巻き布６Ｌで胸部中心から約２７０度締め付けられると共に前付き右側巻き布６Ｒで胸部中心から逆方向に約２７０度締め付けられるため、胸部全体に対する締め付けが充分となり、また巻き掛け角度が大きく、しかも左回りと右回りの２重巻き掛けであるため、伝統的な晒し巻きの装着感を発揮しながら、十分な摩擦力により巻き布の緩みを防止でき、胸部全体に対する締め付けを持続できる。前見頃１ａと央部布６Ｓと巻き布１１Ｌ，１１Ｒとの四枚重ねによってバストの谷間を平らに覆うことができる。必要ならばパッド入れポケット９に挿入したパッド１６でバストの谷間を埋めることができる。また、図４及び図５の引き締め操作によって、左脇の下から左側胸部当て布１１Ｒを左手で斜め上左方に引き上げると共に右脇の下から右側胸部当て布１１Ｌを右手で斜め上右方に引き上げ、巻き布６Ｌ，６Ｒで締め固めた胸部の左側と右側に対し左右均衡的な歪みを加えるものであるから、予め締め固めてあるので歪み量を大きくできないものの、却って歪み戻り量を抑制でき、締め固め分も併せると特にふくよかな体型の方にあっては胸幅を狭めることができる。加えて、巻き布６Ｌ，６Ｒ及び当て布１１Ｌ，１１Ｒは脇汗の吸収効果を十分発揮する。
【００３２】
なお、例えば高齢の方などにあっては、前付き左側巻き布６Ｌ及び前付き右側巻き布６Ｒを胸周りに巻き回す操作の前に、下垂したバストを手で上方へ支え上げて前身頃１ａ（央部布６Ｓ）で包み込んでから上記巻き回し操作を行うことが望ましい。
【００３３】
特に本例では、前見頃下部左結び紐１５Ｌと前見頃下部右結び紐１５Ｒとを結ぶことにより、前身頃（央部布６Ｓ）で包み込み巻き布６Ｌ，６Ｒで締め固めたバストを下がり止めでき、バストを帯より上部位置に保持できる。
【００３４】
また、本例では、前付き左側巻き布６Ｌに縦スリット１０が形成されているため、身体後ろ側での前付き左側巻き布６Ｌと前付き右側巻き布６Ｒとの交差ではシワが生じ難く、しかも巻き付けの摩擦力も高めることができる。
【００３５】
なお、本例の和装用胸部補正衣２０によれば、バストが２枚重ねの前見頃１ａと央部布６Ｓと左側胸部当て布１１Ｒ（又は右側胸部当て布１１Ｒ）との布４枚で覆われることから、バストトップの着物への反映（ひびき）を抑制できる。
【符号の説明】
【００３６】
１…見頃
１ａ…前見頃
１ｂ…後見頃
２Ｌ…後ろ付き左側巻き布
２Ｒ…後ろ付き右側巻き布
３Ｌ，３Ｒ，５Ｌ，５Ｒ，７Ｌ，７Ｒ，８Ｌ，８Ｒ，１４Ｌ，１４Ｒ…縫い目
４Ｌ…後見頃左結び紐
４Ｒ…後見頃右結び紐
６…帯状布
６Ｌ…前付き左側巻き布
６Ｒ…前付き右側巻き布
６Ｓ…央布部
９…パッド入れポケット
１０…縦スリット
１１Ｌ…左側胸当て布
１１Ｒ…右側胸当て布
１３Ｌ…前見頃上部左結び紐
１３Ｒ…前見頃上部右結び紐
１３Ｌ′，１３Ｒ′…余り紐
１５Ｌ…前見頃下部左結び紐
１５Ｒ…前見頃下部右結び紐
１６…パッド
２０…和装用胸部補正衣
Ｈ…貫頭穴
Ｓ…肩当り部
【図１】
2015040351.tif 000003
【図２】
2015040351.tif 000004
【図３】
2015040351.tif 000005
【図４】
2015040351.tif 000006
【図５】
2015040351.tif 000007
【図６】
2015040351.tif 000008